【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
情報群から所定の情報を検索することを支援する情報検索支援装置において、
送信者の識別情報及び参照されたメッセージの識別情報が付加されたメッセージを電子的に通信する場で用いられ、
受信メッセージに関して送信者の識別情報及び参照されたメッセージの識別情報を検出する受信メッセージ情報検出手段と、
受信メッセージの識別情報と当該受信メッセージに関して検出された送信者の識別情報とを対応させて記憶する受信メッセージ情報記憶手段と、
受信メッセージ情報記憶手段に記憶された情報に基づいて、受信メッセージに関して検出された参照メッセージの送信者の識別情報を検出する参照メッセージ情報検出手段と、
受信メッセージ情報検出手段により検出された送信者の識別情報と参照メッセージ情報検出手段により検出された送信者の識別情報とを関係付けるリンク情報と受信メッセージの識別情報とを対応させて記憶するリンク情報記憶手段と、
を備えたことを特徴とする情報検索支援装置。
【請求項２】
請求項１に記載の情報検索支援装置において、
人物の識別情報と他の人物の識別情報とを受け付ける受付手段と、
リンク情報記憶手段に記憶された情報に基づいて、受け付けた識別情報同士を関係付けるリンク情報に対応したメッセージの識別情報を検出するメッセージ識別情報検出手段と、
検出された識別情報に対応したメッセージに関する情報を出力する出力手段と、
を備えたことを特徴とする情報検索支援装置。
【請求項３】
請求項１に記載の情報検索支援装置において、
人物の識別情報を受け付ける受付手段と、
リンク情報記憶手段に記憶された情報に基づいて、受け付けた識別情報に関係付けられた他の人物の識別情報を検出するとともに、これらの識別情報を関係付けるリンク情報に対応したメッセージの識別情報を検出する識別情報検出手段と、
検出された識別情報に対応した他の人物に関する情報及び検出された識別情報に対応したメッセージに関する情報を出力する出力手段と、
を備えたことを特徴とする情報検索支援装置。
【請求項４】
請求項３に記載の情報検索支援装置において、
更に、識別情報検出手段は、リンク情報記憶手段に記憶された情報に基づいて、前記他の人物の識別情報に関係付けられた人物の識別情報を検出するとともに、これらの識別情報を関係付けるリンク情報に対応したメッセージの識別情報を検出し、
出力手段は、当該検出された識別情報に対応した人物に関する情報及び当該検出された識別情報に対応したメッセージに関する情報を出力することを特徴とする情報検索支援装置。
【請求項５】
請求項１乃至請求項４のいずれか１項に記載の情報検索支援装置において、
複数の場で生成されるリンク情報及び当該リンク情報に対応したメッセージの識別情報を統括して利用することにより、これら複数の場を単一の場とみなして情報検索を支援することを特徴とする情報検索支援装置。
【請求項６】
コンピュータに実行させるプログラムを当該コンピュータの入力手段が読取可能に記憶した記憶媒体において、
当該プログラムは、送信者の識別情報及び参照されたメッセージの識別情報が付加されたメッセージを電子的に通信する場で用いられるコンピュータにより読み取られ、
当該プログラムは、受信メッセージに関して送信者の識別情報及び参照されたメッセージの識別情報を検出する第１の処理と、
受信メッセージの識別情報と当該受信メッセージに関して検出された送信者の識別情報とを対応させて受信メッセージ情報メモリに記憶する第２の処理と、
受信メッセージ情報メモリに記憶された情報に基づいて、受信メッセージに関して検出された参照メッセージの送信者の識別情報を検出する第３の処理と、
第１の処理により検出された送信者の識別情報と第３の処理により検出された送信者の識別情報とを関係付けるリンク情報と受信メッセージの識別情報とを対応させてリンク情報メモリに記憶する第４の処理とを当該コンピュータに実行させることを特徴とする記憶媒体。
【請求項７】
情報群から所定の情報を検索することを支援する情報検索支援装置における情報検索支援方法であって、
送信者の識別情報及び参照されたメッセージの識別情報が付加されたメッセージを電子的に通信する場で、
情報検索支援装置の受信メッセージ情報検出手段が、受信メッセージに関して送信者の識別情報及び参照されたメッセージの識別情報を検出し、
情報検索支援装置の受信メッセージ情報記憶手段が、受信メッセージの識別情報と当該受信メッセージに関して検出された送信者の識別情報とを対応させて記憶し、
情報検索支援装置の参照メッセージ情報検出手段が、受信メッセージ情報記憶手段に記憶された情報に基づいて、受信メッセージに関して検出された参照メッセージの送信者の識別情報を検出し、
情報検索支援装置のリンク情報記憶手段が、受信メッセージ情報検出手段により検出された送信者の識別情報と参照メッセージ情報検出手段により検出された送信者の識別情報とを関係付けるリンク情報と受信メッセージの識別情報とを対応させて記憶する、ことを特徴とする情報検索支援方法。
【手続補正２】
【補正対象書類名】明細書
【補正対象項目名】発明の名称
【補正方法】変更
【補正の内容】
【発明の名称】情報検索支援装置、記憶媒体及び情報検索支援方法
【手続補正３】
【補正対象書類名】明細書
【補正対象項目名】０００１
【補正方法】変更
【補正の内容】
【０００１】
【発明の属する技術分野】
本発明は、ユーザが必要とする情報へのアクセスを支援する情報検索支援装置や記憶媒体や情報検索支援方法に関し、特に、発言関係がある情報群を整理する技術や、発言関係を考慮した情報検索を実現する技術に関する。
【手続補正４】
【補正対象書類名】明細書
【補正対象項目名】０００６
【補正方法】変更
【補正の内容】
【０００６】
また、従来では、例えば発言者Ａから発言者Ｂ、更に発言者Ｂから発言者Ｃへと、発言を行った人物のリンクをたどって、それらの人物の間で交わされた意見等の情報を探索することや閲覧することを容易に行うことができないといった不具合があった。
本発明は、このような従来の事情を鑑みてなされたもので、例えば発言関係がある情報群を整理することができ、また、例えば発言関係を考慮した情報検索を実現することができる情報検索支援装置や記憶媒体や情報検索支援方法を提供することを目的とする。
【手続補正５】
【補正対象書類名】明細書
【補正対象項目名】００２２
【補正方法】変更
【補正の内容】
【００２２】
また、以上に示したような本発明に係る各種の処理は、例えば記憶媒体に記憶されたプログラムをコンピュータにより読み取って実行することにより実現することも可能である。
一例として、本発明に係る記憶媒体は、コンピュータに実行させるプログラムを当該コンピュータの入力手段が読取可能に記憶しており、当該プログラムは、送信者の識別情報及び参照されたメッセージの識別情報が付加されたメッセージを電子的に通信する場で用いられるコンピュータにより読み取られ、当該プログラムは、受信メッセージに関して送信者の識別情報及び参照されたメッセージの識別情報を検出する第１の処理と、受信メッセージの識別情報と当該受信メッセージに関して検出された送信者の識別情報とを対応させて受信メッセージ情報メモリに記憶する第２の処理と、受信メッセージ情報メモリに記憶された情報に基づいて、受信メッセージに関して検出された参照メッセージの送信者の識別情報を検出する第３の処理と、第１の処理により検出された送信者の識別情報と第３の処理により検出された送信者の識別情報とを関係付けるリンク情報と受信メッセージの識別情報とを対応させてリンク情報メモリに記憶する第４の処理とを当該コンピュータに実行させる。
また、本発明は、情報検索支援方法として提供することもできる。
【手続補正６】
【補正対象書類名】明細書
【補正対象項目名】００６４
【補正方法】変更
【補正の内容】
【００６４】
【発明の効果】
以上説明したように、本発明に係る情報検索支援装置や記憶媒体や情報検索支援方法によると、例えば人物Ａが発した意見等の情報ａを参照して人物Ｂが意見等の情報ｂを発した場合に、人物Ａと人物Ｂとを関係付けるとともに、当該関係付けと当該情報ｂとを関連付けるようにしたため、このような発言関係がある情報群を整理することができる。